(57)【要約】【課題】収納したハブ、メディアコンバータ、ルータ、無線機器等の通信機器の設置や電力供給が容易となる通信機器収納型分電盤を提供する。【解決手段】通信機器を収納した分電盤において、主幹バー１に接続した分岐ブレーカ３に前記通信機器４への電力供給を行うＡＣアダプターを内蔵させる。これにより、通信機器にＡＣアダプタを設けることが不要となる。【選択図】    図１
2004282801.tif 000002
【特許請求の範囲】
【請求項１】
通信機器を収納した分電盤において、主幹バーに接続したブレーカに前記通信機器への電力供給を行うＡＣアダプターを内蔵させた通信機器収納型分電盤。
【請求項２】
ＡＣアダプターを内蔵させたブレーカに直流電圧の選択部を設けた請求項１に記載の通信機器収納型分電盤。
【請求項３】
ＡＣアダプターを内蔵させたブレーカに出力の異なる複数の直流電圧供給のプラグ受部を設けた請求項１に記載の通信機器収納型分電盤。
【請求項４】
ＡＣアダプターを内蔵させたブレーカに渡りバーで接続した直流電圧変換装置を設けた請求項１に記載の通信機器収納型分電盤。
【請求項５】
通信機器を収納した分電盤において、分岐ブレーカの取付構造と同一の取付構造により前記通信機器を取り付けたことを特徴とする通信機器収納型分電盤。
【請求項６】
主幹バーを第１の主幹バーと第２の主幹バーに分割して、第１の主幹バーに分岐ブレーカを第２の主幹バーに通信機器を接続した請求項５に記載の通信機器収納型分電盤。
【請求項７】
第１の主幹バーに交流配電を第２の主幹バーに直流配電を行った請求項６に記載の通信機器収納型分電盤。
【請求項８】
交流配電を行った第１の主幹バーから電力変換装置を介して第２の主幹バーに直流配電を行った請求項６に記載の通信機器収納型分電盤。
【請求項９】
主幹バーを上下に積設したものとして、通信機器の電源側接続部を前記主幹バーに直接接続可能とした請求項５から８にいずれかに記載の通信機器収納型分電盤。
【発明の詳細な説明】
【０００１】
【発明の属する技術分野】
本発明は、ハブ、メディアコンバータ、ルータ、無線機器等の通信機器を収納した通信機器収納型分電盤に関するものである。
【０００２】
【従来の技術】
家庭内や事業所内において内外の情報通信ネットワーク間の通信路を接続するための通信機器を収納した分電盤としては、例えば、特許文献１に示すものがある。そして、通信機器への電力供給手段としては、配線用遮断器の負荷側端子部に電線を接続して行うものであった。また、通信機器の取り付けは鉄ベースや木ベースにねじ、結束バンド等の手段により行うのを普通とする。
【０００３】
【特許文献１】実開平４−１３７４１３〔図１参照〕
【０００４】
【発明が解決しようとする課題】
ところが、前記した特許文献１に示すものは、交流配電をした配線用遮断器の負荷側端子部に通信機器の電線を直接接続したものであるため通信機器にＡＣアダプターを設けることが必要であり、また、通信機器の取り付けは鉄ベースにねじ、結束バンド等の手段により行うのを普通とするため取付作業が厄介なものであったため、分電盤内に通信機器を設置するのに手間がかかっていた。
【０００５】
【課題を解決するための手段】
前記の課題を解決するためになされた本発明の通信機器収納型分電盤は、通信機器を収納した分電盤において、主幹バーに接続したブレーカに前記通信機器への電力供給を行うＡＣアダプターを内蔵させたことを特徴とするものを請求項１に記載の発明とし、この発明において、ＡＣアダプターを内蔵させたブレーカに直流電圧の選択部を設けたものを請求項２に記載の発明とし、また、前記請求項１の発明においてＡＣアダプターを内蔵させたブレーカに出力の異なる複数の直流電圧供給用のプラグ受部を設けたものを請求項３に記載の発明とする。また、ＡＣアダプターを内蔵させたブレーカに渡りバーで接続した直流電圧変換装置を設けたものを請求項４に記載の発明とする。
【０００６】
さらに、通信機器を収納した分電盤において、分岐ブレーカの取付構造と同一の取付構造により前記通信機器を取り付けたことを特徴とするものを請求項５に記載の発明とし、この発明において、主幹バーを第１の主幹バーと第２の主幹バーに分割して、第１の主幹バーに分岐ブレーカを第２の主幹バーに通信機器を接続したものを請求項６に記載の発明とし、この発明において、第１の主幹バーに交流配電を第２の主幹バーに直流配電を行ったものを請求項７に記載の発明とし、前記請求項６に記載の発明において、交流配電を行った第１の主幹バーから電力変換装置を介して第２の主幹バーに直流配電を行ったものを請求項８に記載の発明とし、前記請求項５から８のいずれかに記載の発明において、主幹バーを上下に積設したものとして、通信機器の電源側接続部を前記主幹バーに直接接続可能としたものを請求項９に記載の発明とする。
【０００７】
【発明の実施の形態】
次に、本発明の実施の形態を図により説明する。
〔第１の実施形態〕
先ず、図１から図５に示す請求項１から３に記載に係る発明に対応する実施形態につき説明する。
１は主幹ブレーカ２の二次側端子部にリードバーを介して接続した主幹バーであり、該主幹バー１の側方には分岐ブレーカ３が多数配設されている。４は分電盤の付属機器取付部８に取り付けて分電盤に収納した通信機器であり、該通信機器４としてはハブ、メディアコンバータ、ルータ等がある。そして、前記多数配設した分岐ブレーカ３の少なくとも１個には通信機器４への直流電力供給用を行うＡＣアダプターが内蔵さている。
【０００８】
すなわち、図１に示すように通信機器４と隣り合うＡＣアダプターを内蔵した分岐ブレーカ３の側面に直流電力供給用のプラグ受部５を設けてあり、該プラグ受部５に通信機器４に接続した電源線のプラグを挿し込んで通信機器４に電力供給を行うものである。これにより、コンセントタップを付属機器取付部８のスペースに取り付ける必要がないので通信機器を取り付けるスペースが広くなるものであり、また、分電盤内の配線が容易なものとなり、分電盤内に通信機器４を設置するのが用意になる。
【０００９】
そして、分岐ブレーカ３にＡＣアダプターを内蔵させたものであるから通信機器４にはＡＣアダプターを不要とする利点がある。この図１ではプラグ受部５は１つ設けられているが複数個ものとしておけば、複数の通信機器にも対応できることは言うまでもない。また、ＡＣアダプターを内蔵させた分岐ブレーカ３に図２に示すように直流電圧を例えば６Ｖ、９Ｖ、１２Ｖ等に選択できるように直流電圧の選択部６を設けることにより定格電圧の異なる通信機器に対応できるものである。この場合には、図示のように選択部６の操作が容易となるようにこの選択部６とプラグ受部５を分岐ブレーカ３の異なる面に設けることが好ましいものである。
【００１０】
さらに、ＡＣアダプターを内蔵させた分岐ブレーカ３を図３に示すように出力の異なる複数の直流電圧出力プラグ端子、例えば６Ｖ、９Ｖ、１２Ｖのプラグ受部５を設けることにより、前記したと同様に定格電圧の異なる通信機器に対応できるものである。
【００１１】
また、図４及び図５に示す第１の実施形態の他例は主幹バー１の側方に配設したＡＣアダプターを内蔵させた分岐ブレーカ３に隣接させて、主幹バー１とは電気接続をさせない直流電圧変換装置を設け、ＡＣアダプターを内蔵させた分岐ブレーカ３の上面に並行に凹設した＋、−極の端子部３ａ、ｂを２個並列に設けたものであり、ＡＣアダプターを内蔵させた分岐ブレーカ３の上面に並行に凹設した＋、−極の端子部３ａ、３ｂに対応して設けた前記直流電圧変換装置９の上面に並行に凹設した＋、−極の端子部９ａ、９ｂに渡りバー９１、９１を嵌合して直流電流を分配して、分岐ブレーカ３のプラグ受部５からは例えば１２Ｖの直流電圧を２個の直流電圧変換装置９からは分岐ブレーカ３から渡りバー９１を介して送られた１２Ｖの直流電圧を９Ｖと６Ｖとに変更したうえそれぞれのプラグ受部５から供給するものとすることにより定格電圧の異なる通信機器に対応できるものである。
【００１２】
この場合、前記したものは２個の直流電圧変換装置９を併設したものであるが、１個でもよいことは勿論、３個以上併設して直流電圧値に応じた直流電源を必要とする収納機器とその設置数に対応できるものである。また、通信機器４を追加、交換等により他の定格電圧の直流電源が必要になった場合には、図１から図３のようにＡＣアダプターを内蔵させた分岐ブレーカを追加するより、このようなものではＡＣアダプター部は１個でよく直流電圧変換装置だけ追加すればよいので経済的に優れている。
【００１３】
〔第２の実施形態〕
続いて、図６から図１３に示す請求項４から８に記載に係る発明の実施形態につき説明する。
１は主幹ブレーカ２の二次側端子部にリードバーを介して接続した主幹バーであり、該主幹バー１の側方には取付台８に取り付けた分岐ブレーカ３が多数配設されている。これらの分岐ブレーカ３の取付台８への取付構造はねじ止め等の手段によらず分岐ブレーカ３の下面と取付台８とが所謂ワンタッチ構造となっている。
【００１４】
すなわち、図８、図９に示すように取付台８は該取付台８の基端に達するように透設した並行させた２個一組の基端側抜き孔８１、８１の隣り合う孔縁により一組の第１レール部８１ａ、８１ａを形成するとともにこれと同一線上に該取付台８の中央側に透設した並行させた２個一組の中央側抜き孔８２、８２の隣り合う孔縁により一組の第２レール部８２ａ、８２ａを形成し、また、前記中央側抜き孔８２、８２の基端に拡大孔部８３を形成したうえ第１レール部８１ａ、８１ａの間にロック孔８４を設けている。
【００１５】
また、分岐ブレーカ３はその下面の前後両側に対向して前記第１レール部８１ａ、８１ａ及び第２レール部８２ａ、８２ａに係合する第１横溝レール部３１ａ、３１ａを及び第２横溝レール部３２ａ、３２ａを設けたものである。そして、図１０（Ａ）に示す状態から図１０（Ｂ）に示す分岐ブレーカ３の第１横溝レール部３１ａ、３１ａを前記第１レール部８１ａ、８１ａの後部に第２横溝レール部３２ａ、３２ａを第２レール部８２ａ、８２ａの後部の拡大孔部８３に位置させたうえ該分岐ブレーカ３を図１０（Ｃ）に示すように取付台８の中央側に摺動させて取付台８の第１レール部８１ａ、８１ａと第２レール部８２ａ、８２ａに第１横溝レール部３１ａ、３１ａと第２横溝レール部３２ａ、３２ａを係合させたうえ図１０（Ｄ）に示すように分岐ブレーカ３の後端に設けたロック部材３３を取付台８に設けたロック孔８４に係合させて取付台８にワンタッチにより取り付けるものである。
【００１６】
４は分電盤の付属機器取付部に取り付けて分電盤に収納した通信機器であり、該通信機器４としてはハブ、メディアコンバータ、ルータ等がある。そして、通信機器４は、前記分岐ブレーカ３と同様の取付構造により分電盤に取り付けられている。すなわち、図１１、１２及び１３に示すように付属機器取付部は前記取付台８と同様の構成として通信機器４には第１レール部８１ａ、８１ａと第２レール部８２ａ、８２ａに摺動自在に係合する横溝レール部３１ａ、３２ａがその両側に設けられているとともにロック孔８４に係合するロック部材３３が設けられているので、前記図１０図に示すように取り付ければよいもいのである。これにより、通信機器の取り付けのためのねじ、結束バンド等が不要となるものであり、分電盤内に通信機器４を設置するのが容易になり、また、予め分岐ブレーカ増設用の取付台８を設たものにあってはこれを付属機器取付部として利用すればよいものである。
【００１７】
なお、分岐ブレーカ３に接続した交流配電用の主幹バー１を延長して通信機器４に接続するものとした場合には、通信機器４にＡＣアダプターを設けたものとしておくことは勿論である。また、主幹バー１を図７に示すように第１の主幹バー１ａと第２の主幹バー１ｂに分割して、第１の主幹バー１ａに分岐ブレーカ３を第２の主幹バー２ｂに通信機器４を接続して、この分割した第２の主幹バー１ａを通信機器４を取り付ける取付台８に取り付けて、取付台８とこれに取り付けられる第２の主幹バー１ｂ及び通信機器４をもって一組の通信機器ユニットを構成して分電盤内に一括して設置、交換できるものとすることにより、ブレーカ等の配電機器に比べてライフサイクルが短く短期間に交換する必要のある通信機器に対応できるものである。
【００１８】
また、主幹バー１を第１の主幹バー１ａと第２の主幹バー１ｂに分割して第１の主幹バー１ａに交流配電を第２の主幹バー１ｂに直流配電を行えば、通信機器毎にＡＣアダプターを不要とすることができる。この場合に直流電源としては太陽電池、燃料電池等に接続してもよく、また、交流配電を行った第１の主幹バー１ａから電力変換装置を介して第２の主幹バー１ｂに直流配電を行ってもよい。この電力変換装置により直流配電を行う場合には分岐ブレーカ３にＡＣアダプターを内蔵させてこれのプラグ受部５と第２の主幹バー１ｂを電源線により接続することが好ましいものであり、さらに、直流電圧を例えば６Ｖ、９Ｖ、１２Ｖ等に選択できるように直流電圧の選択部７を設けたり、出力の異なる複数の直流電圧出力のプラグ受部５を設けることにより、直流電圧値の異なる通信機器に対応できるものである。また、分電盤の外部に電力変換装置を設置して分岐ブレーカ３の負荷端子と電線により接続したうえ再び分電盤内に電線を引き込んで第２の主幹バー１ｂに接続したものであってもよい。
【００１９】
また、図１４に示すように３本の主幹バー１を上下に積設したものとして、通信機器４の電源側接続部を前記主幹バー１に直接接続可能にすなわち、電源側接続部をプラグイン式とすることにより、前記したとおり通信機器４に第１レール部８１ａ、８１ａと第２レール部８２ａ、８２ａに摺動自在に係合する横溝レール部３１ａ、３２ａを設けるとともにロック孔８４に係合するロック部材３３を設けものとすることにより、通信機器４のプラグイン端子を主幹バー１に横方向から嵌合することにより主幹バー１との接続と取付台８への取り付けが同時行うことができるものである。
【００２０】
なお、直流配電を行う３本の第２の主幹バー１ｂを上下に積設した場合にはそのうち上下のどちらか１本をアース線用として残りの２本を異なる直流電圧線用とすることにより、通信機器４のアース線用に対応するプラグイン端子を固定として、直流電圧線用のプラグイン端子を２本の異なる直流電圧線用の主幹バー１ｂと選択的に接続できるものとして、通信機器に応じた的確な定格電圧を供給できるものとしている。このようなものでは交流配電用の主幹バーのセットをそのまま使用することもできるし、直流配電が１つの電圧の場合は第２の主幹バー１ｂは２本として部品の削減をすることもできる。
【００２１】
【発明の効果】
以上の説明のとおり、請求項１に記載の発明にあっては、分岐ブレーカにＡＣアダプターを内蔵させたものであるから、コンセントタップを付属機器取付部のスペースに取り付ける必要がないので通信機器を取り付けるスペースが広くなるものであり、分電盤内の配線が容易となり、分電盤内に通信機器を設置するのが容易となり、通信機器にＡＣアダプタを設けることが不要となる。また、請求項２の発明にあっては、直流電圧の選択部を設けたので定格電圧の異なる通信機器に対応できるものである。また、請求項３の発明にあっては、出力の異なる複数の直流電圧供給用のプラグ受部を設けたものであるから、対応した電圧値のプラグ受部にプラグを挿し込むことにより電圧値の異なる複数の通信機器に対応できるものである。また、請求項４の発明にあっては、ＡＣアダプターを内蔵させたプレーカに渡りバーで接続した直流電圧変換装置を設けたものであるから、定格の異なる通信機器に対応できるものである。
【００２２】
さらに、請求項５に記載の発明にあっては、分岐ブレーカの取付構造と同一の取付構造により通信機器を取り付けたものであるから、通信機器の取り付けのためのねじ、結束バンド等が不要となり、分電盤内に通信機器を設置するのが容易になる。また、請求項６に記載の発明にあっては、主幹バーを第１の主幹バーと第２の主幹バーに分割して、第１の主幹バーに分岐ブレーカを第２の主幹バーに通信機器を接続したので、通信機器をユニット化でき、このユニットごとに交換できるものである。また、請求項７に記載の発明にあっては、第１の主幹バーに交流配電を第２の主幹バーに直流配電を行ったので、各々の通信機器にＡＣアダプタを設けることが不要となる。また、請求項８に記載の発明にあっては、前記同様に各々の通信機器にＡＣアダプタを設けることが不要となる。また、請求項９に記載の発明にあっては、主幹バーを上下に積設したものとして、通信機器の電源側接続部を前記主幹バーに直接接続可能としたので、ワンタッチで接続できるうえ、交流配電用の主幹バーセットをそのまま使用できるものである。
従って、本発明の通信機器収納型分電盤の問題点を解決したものとして、その益大なものである。
【図面の簡単な説明】
【図１】第１の実施形態を示す概略斜視図である。
【図２】第１の実施形態の他例を示す概略斜視図である。
【図３】第１の実施形態の他例を示す概略斜視図である。
【図４】第１の実施形態の他例を示す概略斜視図である。
【図５】第１の実施形態の他例を示す概略斜視図である。
【図６】第２の実施形態を示す斜視図である。
【図７】第２の実施形態を示す斜視図である。
【図８】第２の実施形態の分岐ブレーカの取付構造を示す斜視図である。
【図９】第２の実施形態の分岐ブレーカの取付構造を示す正面図である。
【図１０】第２の実施形態の分岐ブレーカの取付工程を示す下面側斜視図であり、（Ａ）は取付前、（Ｂ）、（Ｃ）は取付作業中、（Ｄ）は取付後を示すものである。
【図１１】第２の実施形態の通信機器の取付工程を示す上面側斜視図である。
【図１２】本第２の実施形態の通信機器の取付工程を示す下面側斜視図である。
【図１３】第２の実施形態の通信機器の取付後を示す下面側斜視図である。
【図１４】第２の実施形態の内部機構を省略して通信機器の取付構造を示す断面図である。
【符号の説明】
１  主幹バー
２  主幹ブレーカ
３  分岐ブレーカ
４  通信機器
５  プラグ受部
６  直流電圧の選択部
【図１】
2004282801.tif 000003
【図２】
2004282801.tif 000004
【図３】
2004282801.tif 000005
【図４】
2004282801.tif 000006
【図５】
2004282801.tif 000007
【図６】
2004282801.tif 000008
【図７】
2004282801.tif 000009
【図８】
2004282801.tif 000010
【図９】
2004282801.tif 000011
【図１０】
2004282801.tif 000012
【図１１】
2004282801.tif 000013
【図１２】
2004282801.tif 000014
【図１３】
2004282801.tif 000015
【図１４】
2004282801.tif 000016